【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
相互に影響する第１および第２の経営指標の定義の各々は、複数の変数および四則演算の演算子を含み、前記変数は、指標としてコントロールで利用されるものと他の指標の定義でのみ利用されるもののいずれかであり、第１および第２の経営指標の定義から、第１の経営指標を左辺とし、第２の経営指標を右辺に含む等式である指標間関係式を生成する手段と、
前記第１の経営指標が異常であるとされる第１のコントロールの条件と、前記第２の経営指標が異常であるとされる第２のコントロールの条件を入力データとし、該第１のコントロールの条件の否定と第２のコントロールの条件の否定との論理積からなる条件を、前記指標間関係式が満たし得るか否かに応じて、前記第１および第２のコントロールの条件間に不整合があるか否かを判定する手段と、
前記判定する手段による判定結果の出力を制御する手段と、
を含むことを特徴とする経営指標管理装置。
【請求項２】
前記第１および第２の経営指標の定義の各々の一方の辺は、葉を変数、葉以外の節を四則演算の演算子とした有向順序木の組のグラフ表現で表現されることを特徴とする請求項１に記載の経営指標管理装置。
【請求項３】
前記第１および第２のコントロールの条件間に不整合があるか否かを判定する手段が、該第２のコントロールの条件の最大値または最小値の一方を、前記指標間関係式に代入した場合に算出される第１の経営指標の値が、前記第１のコントロールの条件を満たし、または、該第１のコントロールの条件の最大値または最小値の一方を、前記指標間関係式に代入した場合に算出される第２の経営指標の値が、前記第２のコントロールの条件を満たす場合に、前記条件間に不整合があると判定するものである、請求項１または２に記載の経営指標管理装置。
【請求項４】
前記第１のコントロールの条件が満たされない状態において、前記第２のコントロールの条件が満たされない状態が維持されるよう、前記第１の経営指標が満たすべき整合状態維持条件を特定する手段を、
更に含むことを特徴とする請求項１ないし３いずれか１つに記載の経営指標管理装置。
【請求項５】
前記第２の経営指標が、複数の経営指標を含む経営指標の群であり、前記第１および第２のコントロールの条件間に不整合があるか否かを判定する手段が、前記第１の経営指標が異常であるとされる第１のコントロールの条件と、前記第２の経営指標の群が異常であるとされる第２のコントロールの条件の群を入力データとし、該第１のコントロールの条件の否定と第２のコントロールの条件の群の論理和の否定との論理積からなる条件を、前記指標間関係式が満たし得ない場合に、前記第１および第２のコントロールの条件間に不整合があると判定するものである、請求項１に記載の経営指標管理装置。
【請求項６】
経営指標管理装置が実行する経営指標管理プログラムであって、
相互に影響する第１および第２の経営指標の定義の各々は、複数の変数および四則演算の演算子を含み、前記変数は、指標としてコントロールで利用されるものと他の指標の定義でのみ利用されるもののいずれかであり、第１および第２の経営指標の定義から、第１の経営指標を左辺とし、第２の経営指標を右辺に含む等式である指標間関係式を生成し、
前記第１の経営指標が異常であるとされる第１のコントロールの条件と、前記第２の経営指標が異常であるとされる第２のコントロールの条件を入力データとし、該第１のコントロールの条件の否定と第２のコントロールの条件の否定との論理積からなる条件を、前記指標間関係式が満たし得るか否かに応じて、前記第１および第２のコントロールの条件間に不整合があるか否かを判定し、
前記判定による判定結果の出力を制御する、
各ステップを含むことを特徴とする経営指標管理プログラム。
【手続補正２】
【補正対象書類名】明細書
【補正対象項目名】００１８
【補正方法】変更
【補正の内容】
【００１８】
本発明に係る経営指標管理装置は、相互に影響する第１および第２の経営指標の定義の各々は、複数の変数および四則演算の演算子を含み、前記変数は、指標としてコントロールで利用されるものと他の指標の定義でのみ利用されるもののいずれかであり、第１および第２の経営指標の定義から、第１の経営指標を左辺とし、第２の経営指標を右辺に含む等式である指標間関係式を生成する手段と、前記第１の経営指標が異常であるとされる第１のコントロールの条件と、前記第２の経営指標が異常であるとされる第２のコントロールの条件を入力データとし、該第１のコントロールの条件の否定と第２のコントロールの条件の否定との論理積からなる条件を、前記指標間関係式が満たし得るか否かに応じて、前記第１および第２のコントロールの条件間に不整合があるか否かを判定する手段と、前記判定する手段による判定結果の出力を制御する手段と、を含むことを特徴とする。
【手続補正３】
【補正対象書類名】明細書
【補正対象項目名】００１９
【補正方法】変更
【補正の内容】
【００１９】
好ましくは、前記第１および第２の経営指標の定義の各々の一方の辺は、葉を変数、葉以外の節を四則演算の演算子とした有向順序木の組のグラフ表現で表現される。さらに好ましくは、前記第１および第２のコントロールの条件間に不整合があるか否かを判定する手段が、該第２のコントロールの条件の最大値および最小値の一方を、前記指標間関係式に代入した場合に算出される第１の経営指標の値が、前記第１のコントロールの条件を満たし、または、該第１のコントロールの条件の最大値または最小値の一方を、前記指標間関係式に代入した場合に算出される第２の経営指標の値が、前記第２のコントロールの条件を満たす場合に、前記条件間に不整合があると判定するものである。
【手続補正４】
【補正対象書類名】明細書
【補正対象項目名】００２１
【補正方法】変更
【補正の内容】
【００２１】
好ましくは、前記第２の経営指標が、複数の経営指標を含む経営指標の群であり、前記第１および第２のコントロールの条件間に不整合があるか否かを判定する手段が、前記第１の経営指標が異常であるとされる第１のコントロールの条件と、前記第２の経営指標の群が異常であるとされる第２のコントロールの条件の群を入力データとし、該第１のコントロールの条件の否定と第２のコントロールの条件の群の論理和の否定との論理積からなる条件を、前記指標間関係式が満たし得ない場合に、前記第１および第２のコントロールの条件間に不整合があると判定するものである。
【手続補正５】
【補正対象書類名】明細書
【補正対象項目名】００２２
【補正方法】変更
【補正の内容】
【００２２】
本発明に係る経営指標管理装置が実行する経営指標管理プログラムは、相互に影響する第１および第２の経営指標の各々の定義は、複数の変数および四則演算の演算子を含み、前記変数は、指標としてコントロールで利用されるものと他の指標の定義でのみ利用されるもののいずれかであり、第１および第２の経営指標の定義から、第１の経営指標を左辺とし、第２の経営指標を右辺に含む等式である指標間関係式を生成し、前記第１の経営指標が異常であるとされる第１のコントロールの条件と、前記第２の経営指標が異常であるとされる第２のコントロールの条件を入力データとし、該第１のコントロールの条件の否定と第２のコントロールの条件の否定との論理積からなる条件を、前記指標間関係式が満たし得るか否かに応じて、前記第１および第２のコントロールの条件間に不整合があるか否かを判定し、前記判定による判定結果の出力を制御する、各ステップを含むことを特徴とする。